(57)【要約】 【課題】高品質・高強度を確保できる積層コア型の固定子鉄心Ｄを経済的に提供する。【解決手段】帯状のコアシート１０において、隣り合うセグメント鉄心片部Ｄ１を結合する結合部Ｄ２を、一対の外側切り離し溝１４とこの溝間に設けられた内側切り離し溝１５との３つの溝によって径方向に対してＵ字状に形成することで、結合部Ｄ２自体の、折曲形成時における変形領域有効長を長くする。これにより、結合部Ｄ２の平均曲げ歪を小さくし、高品質の固定子鉄心Ｄとすることができる。また、縮径工程を積極的に採用し、外側切り離し溝１４および内側切り離し溝１５の各溝を実質的になくする（密接させる）ことにより、高磁気特性と高強度を確保することができる。また、溝１４、１５はコアシート１０作製時に同時に作製することができ、経済的に製造することができる。【選択図】  図２
2015015843.tif 000002
【特許請求の範囲】
【請求項１】
鉄心素材として磁性板（１００）からなる帯状のコアシート（１０）が用いられ、このコアシート（１０）が環状に折曲形成されるとともに軸方向に積層されることで、全体として円筒状の積層コア（１）が構成される回転電機（ＡＣＧ）の固定子鉄心（Ｄ）であって、
前記コアシート（１０）は、内周側に固定子コイル（Ｃ）を巻装するためのティース部（１１）およびスロット部（１２）を有するとともに、外周側に前記ティース部（１１）および前記スロット部（１２）を所定のピッチで連ねるヨーク部（１３）を有しており、
前記コアシート（１０）は、少なくとも１つの前記ティース部（１１）を含む複数のセグメント鉄心片部（Ｄ１）と、隣り合う前記セグメント鉄心片部（Ｄ１）同士を周方向で連接する複数の結合部（Ｄ２）で構成されており、
前記結合部（Ｄ２）は、前記ヨーク部（１３）に設けられていて、
前記結合部（Ｄ２）の周方向の両端側に位置し、外周縁から中心方向に向かって伸びるとともに、隣り合う前記セグメント鉄心片部（Ｄ１）の周方向の端面（Ｄ１Ａ、Ｄ１Ｂ）とそれぞれ対向する溝壁面（１４Ａ、１４Ｂ）を有し、前記セグメント鉄心片部（Ｄ１）との境界線を形成する一対の外側切り離し溝（１４）と、
この一対の外側切り離し溝（１４）間に設けられ、内周縁から反中心方向に向かって伸び、前記結合部（Ｄ２）を径方向に対してＵ字状に形造る内側切り離し溝（１５）とを備えていることを特徴とする回転電機（ＡＣＧ）の固定子鉄心（Ｄ）。
【請求項２】
請求項１に記載の回転電機（ＡＣＧ）の固定子鉄心（Ｄ）において、
前記外側切り離し溝（１４）の最奥端および前記内側切り離し溝（１５）の最奥端には円形状の穴（１６）が形成されていることを特徴とする回転電機（ＡＣＧ）の固定子鉄心（Ｄ）。
【請求項３】
請求項１または２に記載の回転電機（ＡＣＧ）の固定子鉄心（Ｄ）において、
前記内側切り離し溝（１５）は、対向する溝壁面（１５Ａ、１５Ｂ）が互いに凹凸嵌合（１７、１８）していることを特徴とする回転電機（ＡＣＧ）の固定子鉄心（Ｄ）。
【請求項４】
請求項１〜３のいずれか１つに記載の回転電機（ＡＣＧ）の固定子鉄心（Ｄ）において、
前記セグメント鉄心片部（Ｄ１）の周方向の端面（Ｄ１Ａ、Ｄ１Ｂ）と前記外側切り離し溝（１４）の溝壁面（１４Ａ、１４Ｂ）とが密接しているとともに、前記内側切り離し溝（１５）の溝壁面（１５Ａ、１５Ｂ）同士が密接していることを特徴とする回転電機（ＡＣＧ）の固定子鉄心（Ｄ）。
【請求項５】
内周側に固定子コイル（Ｃ）を巻装するためのティース部（１１）およびスロット部（１２）を有するとともに、外周側に前記ティース部（１１）および前記スロット部（１２）を所定のピッチで連ねるヨーク部（１３）を有する円筒状の積層コア（１）を作製するにあたり、鉄心素材として磁性板（１００）からなる帯状のコアシート（１０）を用い、このコアシート（１０）を環状に折曲形成するとともに軸方向に積層することで、全体として円筒状の積層コア（１）とする回転電機（ＡＣＧ）の固定子鉄心（Ｄ）の製造方法であって、
前記コアシート（１０）に対し、外周側となる一方の辺（１０Ａ）に開口するとともに内周側となる他方の辺（１０Ｂ）に向かって伸び、前記ヨーク部（１３）を、少なくとも１つの前記ティース部（１１）を含む複数のセグメント鉄心片部（Ｄ１）と、隣り合う前記セグメント鉄心片部（Ｄ１）同士を連接する複数の結合部（Ｄ２）とに区画する一対の外側切り離し溝（１４）、およびこの一対の外側切り離し溝（１４）間に設けられ、前記他方の辺（１０Ｂ）に開口するとともに前記一方の辺（１０Ａ）に向かって伸び、前記結合部（Ｄ２）をＵ字状に形造る内側切り離し溝（１５）を形成する溝作製工程と、
前記内側切り離し溝（１５）の溝間隔を狭めながら前記結合部（Ｄ２）を湾曲変形させることで、前記コアシート（１０）を前記ヨーク部（１３）が外周側になるように環状に折曲形成する折り曲げ工程と
を備えていることを特徴とする回転電機（ＡＣＧ）の固定子鉄心（Ｄ）の製造方法。
【請求項６】
請求項５に記載の回転電機（ＡＣＧ）の固定子鉄心（Ｄ）の製造方法において、
前記帯状のコアシート（１０）は、あらかじめ全体として、長手方向の両端部（１０Ｃ、１０Ｄ）が開口を介して対向するＣ字形をなすように、前記磁性板（１００）から打ち抜き形成されており、
前記折り曲げ工程では、前記両端部（１０Ｃ、１０Ｄ）が対向する前記開口を閉塞するように前記結合部（Ｄ２）を湾曲変形させることで、前記コアシート（１０）を環状にすることを特徴とする回転電機（ＡＣＧ）の固定子鉄心（Ｄ）の製造方法。
【請求項７】
請求項５または６に記載の回転電機（ＡＣＧ）の固定子鉄心（Ｄ）の製造方法において、
前記溝作製工程では、前記外側切り離し溝（１４）の最奥端および前記内側切り離し溝（１５）の最奥端に欠円形状のＣ字穴（１６Ａ、１６Ｂ）を形成しておき、
前記折り曲げ工程では、前記Ｃ字穴（１６Ａ、１６Ｂ）を縮径するように変形させることで、前記結合部（Ｄ２）における応力分散を図ることを特徴とする回転電機（ＡＣＧ）の固定子鉄心（Ｄ）の製造方法。
【請求項８】
請求項５〜７のいずれか１つに記載の回転電機（ＡＣＧ）の固定子鉄心（Ｄ）の製造方法において、
前記溝作製工程では、前記内側切り離し溝（１５）の対向する溝壁面（１５Ａ、１５Ｂ）に凹凸嵌合可能な凹凸部（１７、１８）を形成しておき、
前記折り曲げ工程では、前記凹凸部（１７、１８）を凹凸嵌合させながら前記結合部（Ｄ２）を湾曲変形させることを特徴とする回転電機（ＡＣＧ）の固定子鉄心（Ｄ）の製造方法。
【請求項９】
請求項５〜８のいずれか１つに記載の回転電機（ＡＣＧ）の固定子鉄心（Ｄ）の製造方法において、
前記折り曲げ工程には、前記外側切り離し溝（１４）の溝間隔を狭めるとともに、前記内側切り離し溝（１５）の溝間隔を一層狭めることにより、前記セグメント鉄心片部（Ｄ１）の周方向の端面（Ｄ１Ａ、Ｄ１Ｂ）と前記外側切り離し溝（１４）の溝壁面（１４Ａ、１４Ｂ）を密接させるとともに、前記内側切り離し溝（１５）の溝壁面（１５Ａ、１５Ｂ）同士を密接させて縮径する縮径工程を含むことを特徴とする回転電機（ＡＣＧ）の固定子鉄心（Ｄ）の製造方法。
【発明の詳細な説明】
【技術分野】
【０００１】
本発明は、回転電機の固定子鉄心、とりわけ自動車用交流発電機の固定子に好適な積層コア型の固定子鉄心およびその製造方法に関する。
【背景技術】
【０００２】
〔従来の技術〕
従来より、積層コア型の固定子鉄心としては種々な構成のものが実用に供されているが、製造に使用する鉄心材料の歩留りを向上するため、例えば、特許文献１に記載のごとく、帯状の磁性板（例えば鋼板）からコアシートを打ち抜く際に、環状とはせずに帯状に連なる複数のセグメント鉄心片を打ち抜き形成し、これを巻回しながら積層して積層コアを製造する所謂巻きコアや、セグメント鉄心片を帯状のまま積層し、これを環状に曲げて積層コアを製造する所謂ポキポキコアが知られている。
【０００３】
これらの積層コア型固定子鉄心は、いずれの構造形態であっても、具体的には、所定数（１ないし複数個）のスロット部（またはティース部）を有するセグメント鉄心片同士を、幅狭の連結部により相互に連なった状態にして、長尺状の磁性板から金型で打ち抜くことにより、コアシートを作製することを基本としている。そして、かかるコアシートを、外周側に形成された幅狭の連結部で折り曲げながら、連続した複数のセグメント鉄心片を螺旋状に巻回して積層するか、または、帯状に連なる複数のセグメント鉄心片をそのまま（コアシートの状態で）所定の枚数積層したのち、幅狭の連結部を内周側に折り曲げながら、隣り合うセグメント鉄心片を順次環状に形成していくものである。
【０００４】
したがって、上記固定子鉄心は、いずれの積層構造形態であっても、図８（ａ）に示すように、帯状のコアシート１０の段階では隣り合うセグメント鉄心片ＳＥが長さ方向に真っ直ぐ伸びる網目模様を付した幅狭の連結部ＳＲによって連結されており、この連結部ＳＲを、図８（ｂ）のごとく内周側に折り曲げる（湾曲形成する）ことによって、複数のセグメント鉄心片ＳＥを環状に配置する点で共通している。
なお、幅狭の連結部ＳＲには、湾曲形成した際にその曲げられた部分の頂部ＳＲ１が積層コアの外周面から外径方向（反中心方向）に突出しないように、凹溝ＳＲ２が設けられている。
【０００５】
〔従来技術の問題点〕
しかしながら、上記の固定子鉄心は、連結部ＳＲを湾曲形成すると連結部ＳＲの板厚方向（コアシート１０の厚み方向）に膨出部が発生するという問題があった。このような膨出部は、上下に積層したセグメント鉄心片ＳＥ間に隙間を作り、最終的な積層コアの厚みにばらつきを生じさせるため、例えば、積層コアを使用した回転電機の組み立てにおいて、隙間をなくすための余分な加工処理を必要とするとか、あるいはまた、かかる隙間が回転電機の効率低下や磁気騒音を招く原因となり、回転電機の品質に悪影響を及ぼす結果となっていた。
【０００６】
なお、上記の膨出部が発生する原因としては、連結部ＳＲが図８（ａ）のごとくコアシート１０の長さ方向にほぼ沿った水平状態から、図８（ｂ）の矢視のごとくほぼ垂直方向に曲げられるために、その曲げられる部分、とりわけ頂部ＳＲ１付近に生じる歪増大現象により板厚方向に膨れるためであると考えられている。
【０００７】
そこで、連結部を実質的に複数に分割して歪を分散すべく、例えば、図８（ａ）に示すように、連結部ＳＲの内周側および外周側のいずれか一方または双方に複数の切欠き凹部ＳＲ３を積極的に設けて、連結部ＳＲの折り曲げ時に発生する応力を複数個所に均等分散させるようにした改善策も提案されているが、連結部ＳＲの変形メカニズムが実質的に同じであるため、上述の事象により膨出部が少なからず発生し、本質的な解決に至っていない。
また、このようにした場合、凹溝ＳＲ２によってそもそも幅狭である連結部ＳＲが、コアシート１０の段階で切欠き凹部ＳＲ３のさらなる追加によってより一層幅狭となるために、環状への湾曲形成工程等において連結部ＳＲに破断等が生じ易く、積層コアとしての強度面で心配となる。  
【先行技術文献】
【特許文献】
【０００８】
【特許文献１】特開２０１０−１７２１３０号公報
【発明の概要】
【発明が解決しようとする課題】
【０００９】
本発明者は、かかる問題を究明すべく、種々の実験・研究を重ねた結果、コアシートの折曲形成の要となる連結部分において、その自由長、換言すれば折曲形成時の変位量に対する変形領域有効長を長くすることにより、平均曲げ歪みを小さくし、膨出部の発生を抑止し得る変形メカニズムを見いだした。そこで、この変形メカニズムを如何なる具体的手段で確立し、製造の簡単な構成を満足しつつ、高強度、高品質・高磁気性能の固定子鉄心を実現するかが当面の課題である。
【００１０】
本発明は、上記の事情に鑑みてなされたものであって、その目的は、簡単な構成でありながら、高強度、高品質・高磁気特性を確保することができる回転電機の固定子鉄心を提供することにある。
併せて、かかる固定子鉄心を、特別な工程を増やすことなく、簡単な製造工程で、経済的に製造することができる製造方法を提供することにある。
【課題を解決するための手段】
【００１１】
〔請求項１の手段〕
請求項１に記載の発明（回転電機の固定子鉄心）は、鉄心素材として磁性板からなる帯状のコアシートを用い、内周側に固定子コイルを巻装するためのティース部およびスロット部を有する円筒状の積層コアからなる基本構成を備え、コアシートが、少なくとも１つのティース部を含む複数のセグメント鉄心片部と、隣り合うセグメント鉄心片部同士を周方向で連接する複数の結合部で構成されている。そして、この結合部が、ヨーク部に設けられていて、結合部の周方向の両端側に位置し、外周縁から中心方向に向かって伸びるとともに、隣り合うセグメント鉄心片部の周方向の端面とそれぞれ対向する溝壁面を有し、セグメント鉄心片部との境界線を形成する一対の外側切り離し溝と、この一対の外側切り離し溝間に設けられ、内周縁から反中心方向に向かって伸び、結合部を径方向に対してＵ字状に形造る内側切り離し溝とを備えていることを特徴としている。
【００１２】
上記構成の本発明によれば、一対の外側切り離し溝とこの溝間に設けられた内側切り離し溝との３つの溝によって結合部を径方向に対してＵ字状に形成して、折曲形成時の変位量に対する変形領域有効長を長くすることができるため、結合部の平均曲げ歪みを小さくし、コアシートを板厚方向に膨れることなく良好に環状に折曲形成することができる。よって、各巻回層のコアシートを上下に隙間なく積層することができ、高品質の固定子鉄心とすることができる。
また、結合部は、周方向の両端側に位置する一対の外側切り離し溝が、隣り合うセグメント鉄心片部の周方向の端面とそれぞれ対向する溝壁面を有している。したがって、対向する両面を密接させて、セグメント鉄心片部と結合部とを一連のヨーク部として機能させることにより、外側切り離し溝が磁気回路を犠牲にすることがなく、高磁気性能を確保することができる。
さらに、結合部は、外周側を特別に凹ます必要がなく、径方向の厚みを充分確保できるため、コアシートの環状への折曲形成時に結合部に破断等の支障を招くことなく良好に多層の積層コアを形成することができ、高強度の固定子鉄心とすることができる。
【００１３】
〔請求項５の手段〕
請求項５に記載の発明（回転電機の固定子鉄心の製造方法）は、特に、帯状のコアシートに対し、外周側となる一方の辺に開口するとともに内周側となる他方の辺に向かって伸び、ヨーク部を、少なくとも１つのティース部を含む複数のセグメント鉄心片部と、隣り合うセグメント鉄心片部同士を連接する複数の結合部とに区画する一対の外側切り離し溝、およびこの一対の外側切り離し溝間に設けられ、他方の辺に開口するとともに一方の辺に向かって伸び、結合部をＵ字状に形造る内側切り離し溝を形成する溝作製工程と、内側切り離し溝の溝間隔を狭めながら結合部を湾曲変形させることで、コアシートを環状に折曲形成する折り曲げ工程とを備えていることを特徴としている。
【００１４】
上記工程を備えた本発明方法によれば、ヨーク部に外側切り離し溝および内側切り離し溝の単に２種のスリットを設けるだけで、変形領域有効長の長い結合部を形成することができる。しかも、この溝作製工程はコアシート作製工程と実質的に同じ工程で実施することができる。よって、高強度で高品質・高磁気特性の固定子鉄心を、簡単な製造工程で、特別な工程を増やすことなく、経済的に製造することができる。
【図面の簡単な説明】
【００１５】
【図１】本発明の第１の実施形態に係る固定子鉄心を適用する回転電機の説明に供するもので、自動車用交流発電機の上半部の模式的断面図である。
【図２】本発明の第１の実施形態に係る固定子鉄心、特に積層コアの説明に供するもので、（ａ）は固定子鉄心（積層コア）の全体構成を示す平面図およびその変形領域部分の拡大図、（ｂ）固定子鉄心（積層コア）の側面図である。
【図３】本発明の第１の実施形態に係る固定子鉄心の製造方法の説明に供するもので、溝作製工程で得られるコアシート全体の平面図およびその主要部をなす結合部分（変形領域部分）の拡大平面図である。
【図４】本発明方法における折り曲げ工程の説明に供するもので、（ａ）は同工程実施前のコアシートの結合部分（変形領域部分）の平面図、（ｂ）は同工程実施後のコアシートの結合部分（変形領域部分）の平面図である。
【図５】上記折り曲げ工程におけるメカニズムの説明に供するコアシートの結合部分（変形領域部分）の拡大平面図である。
【図６】本発明品と従来品との対比説明に供する模式図で、（ａ）は本発明品の説明図、（ｂ）は従来品の説明図である。
【図７】本発明の第２の実施形態に係る固定子鉄心の説明に供するもので、（ａ）は折り曲げ工程実施前のコアシートの平面図、（ｂ）は折り曲げ工程実施後のコアシートの平面図である。
【図８】従来例に係る固定子鉄心の説明に供するもので、（ａ）は折曲形成前のコアシートの連結部の平面図、（ｂ）は折曲形成後のコアシートの連結部の平面図である。
【発明を実施するための形態】
【００１６】
以下、本発明を実施するための最良の形態を、図面に示す２つの実施例にしたがって詳細に説明する。
【実施例】
【００１７】
各実施例は、本発明を適用する固定子鉄心の代表例として、自動車用交流発電機（オルタネータ）の固定子鉄心を示しており、以下の説明では、まず、自動車用交流発電機の基本構成を概説したのち、本発明の各実施例における特徴点および本発明の基本的機能について順次説明し、最後に本発明の特徴点毎の作用効果を要約列挙する。
なお、各実施例において、同一または均等部分には、同一符号を付し、重複説明を省略することとする。
【００１８】
［実施例１］
本発明を適用する回転電機である交流発電機ＡＣＧの全体構成について、図１および図２に基づいて説明する。
【００１９】
〔交流発電機ＡＣＧの基本構成〕
図１に示すように、交流発電機ＡＣＧは、エンジンにより駆動される回転軸Ａに取付けられた回転子ＧＲと、一対のカップ（椀型）状のハウジング（フレームとも呼ぶ）Ｈに組立てボルトＢによって挟持固定された固定子ＧＳとを備えており、この固定子ＧＳには、固定子コイル（多相巻線）Ｃを装着する鉄心として、図２に示すごとき円筒状の積層コア１からなる固定子鉄心（積層コア型固定子鉄心）Ｄが用いられている。
この固定子鉄心Ｄは、一対のカップ状ハウジングＨで挟持固定されることにより、交流発電機ＡＣＧの筺体の一部として利用される。
【００２０】
〔積層コア１の基本構成〕
図２に示すように、固定子鉄心Ｄをなす積層コア１は、内周側に固定子コイルＣが巻かれる多数のティース（歯）部１１とスロット（溝）部１２とを交互に備え、外周側に各ティース部１１およびスロット部１２を所定のピッチで環状に連結するヨーク（継鉄）部１３を備えている。環状のヨーク部１３は、固定子コイルＣが巻かれない非巻線部分であり、ここに後で詳しく説明する変形領域ＤＸが、円周方向に複数配列されている。
【００２１】
積層コア１は、鉄心素材として図３に示すごとき磁性板１００からなる帯状のコアシート１０が用いられている。このコアシート１０は、例えば、幅広の長尺状の磁性板からティース部およびスロット部が互い違いに配置されるように打抜くことにより、一対（２枚）の帯状コアシートとして作製されるもの、もしくは、幅狭の長尺状の磁性板からその片側にティース部およびスロット部が交互に配置されるように打抜くことにより、１枚の帯状コアシートとして作製されるものであって、長さ方向の一辺側に固定子コイルＣを巻装するためのティース（歯）部１１およびスロット（溝）部１２を有するとともに、長さ方向の他辺側にこれらのティース部１１およびスロット部１２を所定のピッチで連結するヨーク（継鉄）部１３を有している。
そして、このコアシート１０を、ヨーク部１３が外周側となるように螺旋状に巻取りながら複数層にわたって巻回積層することにより、円筒状の積層コア１とするものである。
なお、積層コア１は、積層方向（軸方向）において、かしめ、溶接等の適宜の固着手段によって各層の相互間が固着され、固定子鉄心Ｄとして交流発電機ＡＣＧに組み付けられる。
【００２２】
〔積層コア１の特徴〕  
積層コア１の各層は、図２（ａ）に示すごとく、少なくとも１つ（本実施例では１個）のティース部１１を含む複数のセグメント鉄心片部Ｄ１と、隣り合うセグメント鉄心片部Ｄ１同士を周方向で連接する複数の結合部Ｄ２を有するコアシート１０で構成されている。セグメント鉄心片部Ｄ１と結合部Ｄ２とは、後述するごとくヨーク部１３に結合部Ｄ２が刻設されることで区分されており、結合部Ｄ２がコアシート１０における変形領域ＤＸの主体をなしている。
【００２３】
結合部Ｄ２は、ヨーク部１３において２種の溝によって径方向にＵ字状に刻設形成されるもので、ヨーク部１３の外径と同一の外径を有している。結合部Ｄ２は、第１の溝として、周方向の両端側に位置し、外周縁から中心方向に向かって伸びるとともに、セグメント鉄心片部Ｄ１との境界線を形成する一対の外側切り離し溝（以下、第１の溝とも呼ぶ。）１４を備えている。また、第２の溝として、この一対の外側切り離し溝１４間において、内周縁（スロット部底面）から反中心方向に向かって伸び、結合部Ｄ２を径方向に対してＵ字状に形造る内側切り離し溝（以下、第２の溝とも呼ぶ。）１５を備えている。
そして、結合部Ｄ２により連接されているセグメント鉄心片部Ｄ１は、結合部Ｄ２との間に第１の溝１４が介在しているものの、セグメント鉄心片部Ｄ１の周方向の端面Ｄ１Ａ、Ｄ１Ｂが第１の溝１４の溝壁面１４Ａ、１４Ｂと対向し、特に密接している。よって、セグメント鉄心片部Ｄ１と結合部Ｄ２との間には実質的な磁気空隙が生じることがなく、セグメント鉄心片部Ｄ１と結合部Ｄ２とが一連のヨーク部１３として機能する。
【００２４】
また、第２の溝１５は、相互の溝壁面１５Ａ、１５Ｂが凹凸嵌合により密接しており、その間に磁気空隙が生じるのを実質的に防いでいる。よって、結合部Ｄ２全体が磁気回路として良好に機能する。なお、凹凸嵌合の一例として、一方の溝壁面１５Ａには半円形状凹部１７が、他方の溝壁面１５Ｂには半円形状凸部１８がそれぞれ設けられている。この凹凸嵌合により、溝壁面１５Ａ、１５Ｂの径方向における当接位置が一義的に定まるため、コアシート１０の各巻回層のより一層の真円度が確保される。
【００２５】
なお、第１の溝（外側切り離し溝）１４の最奥端（内径側の端部）および第２の溝（内側切り離し溝）１５の最奥端（外径側の端部）には、それぞれ円形状の穴１６が形成されている。これらの穴１６は、コアシート１０の折曲形成時に応力分散手段として活用されるものである。
【００２６】
〔本実施例の効果〕
上記構成の本発明の固定子鉄心Ｄによれば、次に列挙するような作用効果が得られる。（１）隣り合うセグメント鉄心片部Ｄ１を連接する結合部Ｄ２は、図４に示すように、一対の外側切り離し溝１４とこの溝間に設けられた内側切り離し溝１５との３つの溝によって網目模様のごとくＵ字状に形成されているため、一方の根元から他方の根元に至る、所謂自由長の長さを、Ｕ字部の径方向に伸びる両辺で稼いで矢印線（Ｕ字線）Ｘのごとく長く取ることができる。この自由長Ｘが折曲形成時における変位量に対する変形領域有効長となる。したがって、変形領域有効長Ｘを長くすることができるため、結合部Ｄ２の平均曲げ歪みを小さくし、結合部Ｄ２が板厚方向に膨れることなくコアシート１０を良好に巻回積層することができ、高品質の固定子鉄心Ｄとすることができる。なお、このメカニズムの詳細については後述する製造方法とともに補足説明する。
【００２７】
（２）また、セグメント鉄心片部Ｄ１と結合部Ｄ２とを区画形成する外側切り離し溝（第１の溝）１４は、隣り合うセグメント鉄心片部Ｄ１の周方向の端面Ｄ１Ａ、Ｄ１Ｂとそれぞれ対向し密接する溝壁面１４Ａ、１４Ｂを有しており、セグメント鉄心片部Ｄ１と結合部Ｄ２が密接して一連のヨーク部１３として機能するため、当該溝１４によって磁気回路を犠牲にすることがなく、高磁気性能を確保することができる。
（３）さらに、結合部Ｄ２は、従来品のごとき凹溝が不要でヨーク部１３の外径と実質的に同じ外径にすることができる。したがって、結合部Ｄ２には、径方向の厚みを充分確保することができるため、結合部Ｄ２が折り曲げ時に破断等する恐れがなく、高強度の積層コア１を形成し、高強度の固定子鉄心Ｄとすることができる。
【００２８】
〔本発明の製造方法〕
次に、上記実施例１に係る固定子鉄心Ｄ（積層コア１）の製造方法について説明する。
本方法においては、図２（ａ）に示すように、内周側に固定子コイルＣを巻装するためのティース部１１およびスロット部１２を有するとともに、外周側にティース部１１およびスロット部１２を所定のピッチで連ねるヨーク部１３を有する円筒状の積層コア１を作製するにあたり、鉄心素材として磁性板からなる帯状のコアシート１０を用い、このコアシート１０を環状に折曲形成するとともに軸方向に積層することで、全体として円筒状の積層コア１とすることを基本とし、以下に詳述するような溝作製工程および折り曲げ工程を備えていることを特徴としている。
【００２９】
本方法では、まず溝作製工程を実施し、その後折り曲げ工程を実施するものであり、かかる各工程の特徴点を、主として図３〜図５を参照しながら説明する。
【００３０】
溝作製工程は、図３に示すように、長尺状の磁性板１００からティース部１１およびスロット部１２を有する帯状コアシート１０を作製する工程（コアシート作製工程）と同時に実施されるもので、コアシート１０のヨーク部１３に対し、複数の２種の溝１４、１５を刻設し、セグメント鉄心片部Ｄ１と結合部Ｄ２とを区画形成する工程である。
【００３１】
２種の溝１４、１５のうち、一方の溝（第１の溝）１４は、外周側となる一方の辺１０Ａに開口するとともに内周側となる他方の辺１０Ｂに向かって伸び、ヨーク部１３を、少なくとも１つ（本実施例では１つ）のティース部１１を含む複数のセグメント鉄心片部Ｄ１と、隣り合うセグメント鉄心片部Ｄ１同士を連接する複数の結合部Ｄ２とに区画する一対の外側切り離し溝であって、セグメント鉄心片部Ｄ１の端面Ｄ１Ａ、Ｄ１Ｂと、溝１４の溝壁面１４Ａ、１４Ｂとの間には切り離しに必要な若干の隙間２０が形成されている。
他方の溝（第２の溝）１５は、この一対の外側切り離し溝１４間に設けられ、他方の辺１０Ｂ（特にスロット部１２の底面）に開口するとともに一方の辺１０Ａに向かって伸び、結合部Ｄ２をＵ字状に形造る内側切り離し溝である。
【００３２】
そして、この内側切り離し溝１５は、対向する溝壁面１５Ａ、１５Ｂが凹凸嵌合により密接できるように、一方の溝壁面１５Ａには半円形状凹部１７が、他方の溝壁面１５Ｂには半円形状凸部１８がそれぞれ設けられている。
また、対向する溝壁面１５Ａ、１５Ｂの間には、上記隙間２０より若干大きい隙間２１が形成されている。この隙間２１は、後工程の関係上、スロット部１２側に向かって徐々に幅広となる逆Ｖ字形をなしている。
さらに、外側切り離し溝１４の最奥端および内側切り離し溝１５の最奥端には、それぞれ隙間２０、２１より大なる径を有し、応力分散要素として機能する欠円形状のＣ字穴１６Ａ、１６Ｂが形成されている。
【００３３】
折り曲げ工程は、上記溝作製工程に引き続いて実施されるもので、図３に示すコアシート１０をヨーク部１３が外周側になるように環状に折曲形成する工程であって、とりわけ、内側切り離し溝１５の溝間隔（隙間２１）を狭めながら結合部Ｄ２を湾曲変形させることを基本としている。特に、本実施例では、各コアシート１０の相隣るセグメント鉄心片部Ｄ１が環状にしかも密接して連なるように、外側切り離し溝１４および内側切り離し溝１５の溝間隔（隙間２０、２１）が実質的になくなるまで縮径する縮径工程を含んでいる。
かくして、この折り曲げ工程では、図４に示すように、コアシート１０の変形領域ＤＸが図４（ａ）に示す形態から図４（ｂ）に示す形態へと変化していくわけで、この変形メカニズムに最大の特徴がある。
【００３４】
以下、かかる変形メカニズムについて、図５および図６をも参照しながら補足説明する。
図５において、破線は、折り曲げ工程実施前のコアシート１０の状態、つまり図４（ａ）に示す状態を、また、実線は、折り曲げ工程実施後のコアシート１０の状態、つまり図４（ｂ）に示す状態を、それぞれ示している。
また、図６において、（ａ）は本発明品の折り曲げ過程を示しているのに対し、（ｂ）は従来品の折り曲げ過程を示している。
【００３５】
さて、折り曲げ工程実施前においては、結合部Ｄ２は、図４（ａ）に示すように、一対の外側切り離し溝１４とこの溝間に設けられた内側切り離し溝１５との３つの溝によって網目模様のごとくＵ字状に形成されている。したがって、結合部Ｄ２は、直線状態にあるものの、中心方向に向かって開口するＵ字形状であるため、一方の根元から他方の根元に至るＵ字状の線長部分（矢印線Ｘ）がすべて自由長となり、この自由長が変位量に対する変形領域有効長Ｘとなる〔図５の破線、図６（ａ）の左図も参照〕。
折り曲げ工程に入ると、結合部Ｄ２は、上記の直線状態からコアシート１０が環状に巻かれることにより、図４（ｂ）に示すように、中間点（結合部頂部）Ｄ２Ｔを回転中心として溝１５の隙間２１の間隙が実質的になくなるまで内周側へ湾曲変形する〔図５の実線、図６（ａ）の右図も参照〕。
【００３６】
この折り曲げ過程における結合部Ｄ２の変形を、破線から実線への変位量として、図５に示す。
図５において、ティース部１１の周方向変位量をＰ、結合部Ｄ２の根元部における周方向変位量をＱ、結合部Ｄ２の頂部Ｄ２Ｔにおける変位量をＲとしたとき、最終的なティース部１１（もしくはスロット部１２）の間隔は、製品仕様として一義的に決定されるため、このティース部周方向変位量Ｐを基準にして、各部の変位量を比較すると、
Ｐ＞Ｑ＞Ｒ  ………（ａ）
上記（ａ）のごとき関係式が成立し、結合部Ｄ２の根元部の変位量Ｑより結合部Ｄ２の頂部Ｄ２Ｔの変位量Ｒの方が小さくなる。
【００３７】
また、この変形によって結合部Ｄ２に生ずる平均曲げ歪みδは、図６にも示すように、
δ（平均曲げ歪み）＝Ｑ（変位量）／Ｘ（変形領域有効長）………（ｂ）
上記（ｂ）の関係式から、Ｘ（変形領域有効長）が長ければ長いほど、δ（平均曲げ歪み）を小さくすることができる。
したがって、本発明によれば、変形領域有効長Ｘが長いため、結合部Ｄ２の平均曲げ歪みδを小さくすることができ、結合部Ｄ２が板厚方向に膨れることなくコアシート１０を所要の積層コア径まで湾曲変形させることができる。
【００３８】
ちなみに、本発明品と従来品とを対比すると、図６に示すように、従来品の場合は、連結部ＳＲの根元部間の長さ（変形領域有効長）が、連結部ＳＲ自体の周方向長と実質的に同じで最大でもＸ’の円弧長であり、本発明品の変形領域有効長（Ｕ字線長）Ｘより明らかに短い。そのため、連結部ＳＲの根元部における周方向変位量Ｑ’を、本発明品の結合部Ｄ２の根元部における周方向変位量Ｑと同じである（Ｑ’＝Ｑ）と仮定しても、従来品の平均曲げ歪みδ’は、本発明品の平均曲げ歪みδより明らかに大きくなる。
なお、従来品は、連結部ＳＲにおける変位量が、頂部も根元部とほぼ同じＱ’になるのに対し、本発明品は、上式（ａ）のごとく、頂部Ｄ２Ｔの変位量Ｒを根元部の変位量Ｑより小さくできる（Ｒ＜Ｑ）ため、一層有利である。
【００３９】
さらに、本発明によれば、各溝１４、１５の最奥端にＣ字穴１６Ａ、１６Ｂを設けており、滑らかな曲面を形成しているため、Ｃ字穴１６Ａ、１６Ｂから円形穴１６へと縮径変形する過程での応力を分散することができる。
そして、結合部Ｄ２に刻設する内側切り離し溝１５には、溝壁面１５Ａに半円形状凹部１７が、他方の溝壁面１５Ｂに半円形状凸部１８がそれぞれ設けられているため、折り曲げの過程で徐々に凹凸嵌合しながら、両溝壁面１５Ａ、１５Ｂが密接していく。このように、凹凸嵌合により、溝壁面１５Ａ、１５Ｂの径方向における当接位置が一義的に定まるため、コアシート１０の各巻回層のより一層の真円度が確保される。
【００４０】
かくして、図２に示す高強度、高品質、高磁気性能の積層コア１（固定子鉄心Ｄ）を得ることができる。
そして、本方法によれば、溝作製工程は単純なプレス加工でしかもコアシート作製工程と同時に実施でき、簡単な製造工程で、特別な工程を増やすことなく、積層コア１（固定子鉄心Ｄ）を経済的に製造することができる。
【００４１】
［実施例２］
次に、本発明方法の実施例２について、上述の実施例１との相違点を中心に図７に基づいて説明する。
上述の実施例１では長尺状の帯状コアシート１０を出発点とし、このコアシート１０を螺旋状に巻回しながら積層することによって円筒状の積層コア１を形成したのに対し、この実施例２は、半円形状の帯状コアシート１０を出発点とし、このコアシート１０を所定の枚数積層したのち、全体を環状に形成するか、コアシート１０を一枚ずつ環状に形成したのち、これを所定の枚数積層することによって、円筒状の積層コア１を形成するものである。
【００４２】
本実施例においては、まず、図７（ａ）に示すように、比較的幅広の磁性板１００から、あらかじめ全体として、長手方向の両端部１０Ｃ、１０Ｄが開口を介して対向するＣ字形（半円形状）をなすように、コアシート１０を打ち抜き形成する。そして、このコアシート１０の作製工程において、同時に溝作製工程を実施して、実施例１と同様に、セグメント鉄心片部Ｄ１と結合部Ｄ２とを区画形成する一対の外側切り離し溝（第１の溝）１４、および結合部Ｄ２をＵ字状に形造る内側切り離し溝（第２の溝）１５を刻設するなど、必要な加工を施す。
次いで、上記コアシート１０を環状に折曲形成する折り曲げ工程では、外側切り離し溝１４および内側切り離し溝１５の溝間隔（隙間２０、２１）を狭めながら結合部Ｄ２を湾曲変形させるとともに、Ｃ字形の開口を閉塞するようにコアシート１０の両端部１０Ｃ、１０Ｄをつき合わせることで、コアシート１０を環状にする。かくして、コアシート１０において、相隣るセグメント鉄心片部Ｄ１が環状に密に連なるように、所望の積層コア径まで縮径することができる。
【００４３】
以上本発明方法の実施例２について概説したが、この実施例２においても、実施例１と同様、溝作製工程をコアシート１０の作製工程で同時に実施することができ、高強度で高品質・高磁気特性の固定子鉄心Ｄを、簡単な製造工程で、特別な工程を増やすことなく、経済的に製造することができ、実施例１と同様の効果を得ることができる。
【００４４】
〔変形例〕
以上本発明を２つの実施例について詳述してきたが、本発明の精神を逸脱しない範囲で種々変形することが可能であり、その変形例を例示する。
【００４５】
（１）セグメント鉄心片部Ｄ１と結合部Ｄ２とを区画形成する一対の外側切り離し溝（第１の溝）１４は、二つ以上のティース部１１を含むセグメント鉄心片部Ｄ１を区画形成するように設けることもできる。この場合には、結合部Ｄ２の周方向長が長くなるため、内側切り離し溝（第２の溝）１５を各スロット部１２に対応させて設けるとよい。
（２）上記の各溝１４、１５の最奥端に設ける穴１６、１６Ａ，１６Ｂは、必ずしも円形に限定されるものではなく、応力集中を回避可能な滑らかな曲面を形成する形状であれば良い。
（３）内側切り離し溝（第２の溝）１５の溝壁面１５Ａ、１５Ｂに形成する嵌合構造も、円形に限ることなく、種々な形状を採用することができる。もっとも、溝壁面１５Ａ、１５Ｂを良好に密接させコアシート１０に所要の真円度を確保できる場合には、かかる凹凸嵌合構造を省略することもできる。
【００４６】
（４）以上の実施形態では、折り曲げ工程に縮径工程を含む実施例について説明したが、固定子鉄心Ｄの要求仕様によっては、縮径工程を完全にもしくは一部省略した手法を採用することもできる。つまり、縮径工程とは、外側切り離し溝１４の溝間隔（隙間２０）を狭めるとともに、内側切り離し溝１５の溝間隔（隙間２１）を一層狭めて、セグメント鉄心片部Ｄ１の周方向の端面Ｄ１Ａ、Ｄ１と外側切り離し溝１４の溝壁面１４Ａ、１４Ｂを密接させるとともに、内側切り離し溝１５の溝壁面１５Ａ、１５Ｂ同士を密接させることにより、所望の積層コア径まで縮径・整径する工程であるが、縮径工程を完全にもしくは一部省略することよって、隙間２０、２１を積極的に残存させるとともに、その残存量を加減することができる。
例えば、隙間２０、２１が残存すると実質的な磁気空隙が生じるが、この磁気空隙をカバーするだけの磁路面積がヨーク部１３の径方向幅や他の磁気連絡手段で確保されている場合とか、獲得可能な磁気性能が要求性能を満足している場合には、かかる手法を採用し、製法の簡便化を図ることができる。また、かかる手法を採用することで、各溝１４、１５の最奥端に設ける欠円形状のＣ字穴１６Ａ，１６Ｂも、円形穴１６に移行する途中段階で留めることになるが、かかる場合においても、Ｃ字穴１６Ａ，１６Ｂが縮径するように変形することで、結合部Ｄ２における応力分散を図ることができる。つまり、図５に基づいて説明したように、結合部根元周方向変位量Ｑの方が、結合部頂部周方向変位量Ｒ（頂部は変位量が最小）よりも大きいため、必ずしも完全な円形状の穴１６にならなくとも、所望の応力分散効果を得ることができる。
また、実施例２において、コアシート１０の両端部１０Ｃ、１０Ｄ間に隙間を積極的に残存させるとともに、その残存量を加減するようにしても良い。
【００４７】
（５）以上の実施形態では、本発明を自動車用交流発電機（オルタネータ）の固定子鉄心に適用した場合について説明したが、これに限ることなく、鉄心素材として磁性板からなる帯状のコアシートが用いられる固定子鉄心を持つ回転電機、例えば高電圧駆動モータに適用し、同様の作用効果を奏することができる。
【００４８】
以上詳述してきた本発明の特徴点および特記すべき作用効果を、特許請求の範囲において従属項として記載した各手段にしたがって構造面および方法面の両面から要約列挙すれば、次の通りである。
【００４９】
（特徴点１＝請求項２、７の手段）
セグメント鉄心片部Ｄ１と結合部Ｄ２とを区画形成する一対の外側切り離し溝（第１の溝）１４の最奥端および結合部Ｄ２をＵ字状に形造る内側切り離し溝（第２の溝）１５の最奥端には円形状の穴１６が形成されていることを特徴としている（実施例１、２）。
上記手段によれば、各溝１４、１５の最奥端を滑らかな曲面に形成しているため、欠円形状のＣ字穴１６Ａ、１６Ｂから円形状の穴１６へと縮径変形する過程において応力を分散し、応力集中が生じるのを防ぐことができる。
【００５０】
（特徴点２＝請求項３、８の手段）
内側切り離し溝１５は、対向する溝壁面１５Ａ、１５Ｂが互いに凹凸嵌合（凹部１７、凸部１８）していることを特徴としている（実施例１、２）。
上記手段によれば、凹凸嵌合（凹部１７、凸部１８）によって溝壁面１５Ａ、１５Ｂの径方向の位置決めを行うことができ、各巻回層のコアシート１０の真円度を向上することができる。
【００５１】
（特徴点３＝請求項４、９の手段）
セグメント鉄心片部Ｄ１の周方向の端面Ｄ１Ａ、Ｄ１Ｂと外側切り離し溝１４の溝壁面１４Ａ、１４Ｂとが密接しているとともに、内側切り離し溝１５の溝壁面１５Ａ、１５Ｂ同士が密接していることを特徴としている（実施例１、２）。
上記手段によれば、セグメント鉄心片部Ｄ１と結合部Ｄ２が密接して一連のヨーク部１３として機能するため、当該溝１４によって磁気回路を犠牲にすることがなく、高磁気性能を確保することができる。
【００５２】
（特徴点４＝請求項６の手段）
請求項５に記載の固定子鉄心Ｄの製造方法において、帯状のコアシート１０は、あらかじめ全体として、長手方向の両端部１０Ｃ、１０Ｄが開口を介して対向するＣ字形をなすように、磁性板１００から打ち抜き形成されており、
折り曲げ工程では、両端部１０Ｃ、１０Ｄが対向する開口を閉塞するように結合部Ｄ２を湾曲変形させることで、コアシート１０を環状にすることを特徴としている（実施例２）。
上記手段によれば、磁性板１００として短尺状のものを使用することができる。また、Ｃ字形のコアシート１０を打ち抜いた後の廃材部分は、モータの場合、回転子のコア（回転子鉄心）の素材として有効活用することができる。
【符号の説明】
【００５３】
ＡＣＧ…自動車用交流発電機（回転電機）、Ｃ…固定子コイル、Ｄ…固定子鉄心、Ｄ１…セグメント鉄心片部、Ｄ１Ａ、Ｄ１Ｂ…周方向の端面、Ｄ２…結合部、ＤＸ…変形領域（セグメント鉄心片部Ｄ１および結合部Ｄ２）、１…積層コア、１０…コアシート、１０Ａ、１０Ｂ…長手方向の両辺、１１…ティース部、１２…スロット部、１３…ヨーク部、１４…外側切り離し溝、１４Ａ、１４Ｂ…溝壁面、１５…内側切り離し溝、１５Ａ、１５Ｂ…溝壁面、１００…磁性板。
【図１】
2015015843.tif 000003
【図２】
2015015843.tif 000004
【図３】
2015015843.tif 000005
【図４】
2015015843.tif 000006
【図５】
2015015843.tif 000007
【図６】
2015015843.tif 000008
【図７】
2015015843.tif 000009
【図８】
2015015843.tif 000010